(57)【要約】【課題】  暗所で作業を行う際に両手を自由に使用して作業を行うことができ、狭い場所での作業に支障をきたすことがなく、照明装置からの光が暗所作業用の照明として効率よく利用される照明装置付ヘルメットを提供すること。【解決手段】  帽体と、前記帽体の鍔部の下面に取り付けられ、前方を照射する照明装置とを備える照明装置付ヘルメットとする。【選択図】    図１
2005264388.tif 000002
【特許請求の範囲】
【請求項１】
帽体と、
前記帽体の鍔部の下面に取り付けられ、前方を照射する照明装置とを備えること特徴とする照明装置付ヘルメット。
【請求項２】
前記照明装置が、前記鍔部の厚さ方向と直交する方向に並べられた複数の発光ダイオードを備えた発光部を有すること特徴とする請求項１に記載の照明装置付ヘルメット。
【請求項３】
前記鍔部の下面における前記発光部よりも後方の位置に、前記照明装置からの光を遮る遮光部が備えられていること特徴とする請求項１または請求項２に記載の照明装置付ヘルメット。
【請求項４】
前記帽体内に環状に取り付けられたヘッドバンドを備え、
配線と、前記配線によって前記照明装置と電気的に接続されたバッテリーとが、前記帽体と前記ヘッドバンドとの間に配置されていること特徴とする請求項１〜請求項３に記載の照明装置付ヘルメット。
【発明の詳細な説明】
【技術分野】
【０００１】
本発明は、照明装置付ヘルメットに関し、特に、軽量で広い視野が確保できる照明装置を備えたヘルメットに関する。
【背景技術】
【０００２】
建設工事、警備、点検など、ヘルメットを着用して行う作業を暗所で行う際に使用される照明器具として、ヘルメットに装着可能なヘッドライトがある。このようなヘッドライトは、手に持って使用する照明器具とは異なり、両手が自由に使用できるという利点がある。
【０００３】
しかしながら、このようなヘッドライトは、ヘルメットの外側に装着するので、ヘッドライトが周囲にぶつかることにより、狭い場所での作業性が低下してしまう場合があった。また、ヘッドライトが周囲にぶつかって破損してしまう場合があった。さらに、このようなヘッドライトにおいては、一般に光源として電球が使用されているため、消費電力が多いことが問題となっていた。
【０００４】
また、従来からヘルメットに発光ダイオードを取り付けた技術として、（特許文献１）（特許文献２）、（特許文献３）、（特許文献４）などがある。
特許文献１には、ヘルメットの外側に発光体としてＬＥＤが取り付けられたものが記載されている。また、特許文献２には、ヘルメットの外周縁部に挟着して固定される取付本体の外周面にＬＥＤ発光体が配置されたものが記載され、特許文献３には、ヘルメットの表面にＬＥＤ素子を複数個装着したものが記載されている。
【０００５】
しかしながら、特許文献１から特許文献３に記載の技術は、暗所において自らの所在を第三者等に知らせることを目的とするものである。このため、複数取り付けられたＬＥＤからの光は、それぞれ異なる方向に向かって照射されるようになっている。したがって、特許文献１から特許文献３に記載の技術では、発光体からの光を、暗所作業用の照明として効率よく利用することはできない。
【０００６】
また、特許文献４には、鍔部の先端部に設けられたソケット部にＬＥＤが取り付けられたヘルメットが記載されている。
しかしながら、特許文献４に記載の技術は、充電部の電圧の有無を確認するものであるため、ＬＥＤは作業者が活線状態ある電線に接近するとフリッカ点灯するものであり、暗所作業用の照明として利用することはできない。
【０００７】
【特許文献１】特開平９−２９１４１０号
【特許文献２】特開平１１−３２９００３号
【特許文献３】特開平１０−８３１９号
【特許文献４】特開平１１−１２８４２号
【発明の開示】
【発明の効果】
【０００８】
本発明の照明装置付ヘルメットは、前記帽体の鍔部の下面に取り付けられ、前方を照射する照明装置を備えたものであるので、暗所で作業を行う際に照明器具を手で持つことなく、両手を自由に使用して作業を行うことができる。しかも、本発明の照明装置付ヘルメットは、照明装置が帽体の鍔部の下面に取り付けられたものであるので、作業時に照明装置が周囲にぶつかることはなく、ヘルメットにヘッドライトを装着した場合のように、狭い場所での作業に支障をきたすことはないし、作業時に照明装置が周囲にぶつかることによって、照明装置が破損することもない。
また、本発明の照明装置付ヘルメットでは、照明装置が前方を照射するものであるので、照明装置からの光が暗所作業用の照明として効率よく利用される。
【発明が解決しようとする課題】
【０００９】
本発明は、上述の問題を解決し、暗所で作業を行う際に両手を自由に使用して作業を行うことができ、狭い場所での作業に支障をきたすことがなく、照明装置からの光が暗所作業用の照明として効率よく利用される照明装置付ヘルメットを提供することを課題としている。
【課題を解決するための手段】
【００１０】
上記の問題を解決するために、本発明の照明装置付ヘルメットは、帽体と、前記帽体の鍔部の下面に取り付けられ、前方を照射する照明装置とを備えること特徴とする。
【００１１】
また、上記の照明装置付ヘルメットにおいては、照明装置が、前記鍔部の厚さ方向と直交する方向に並べられた複数の発光ダイオードを備えた発光部を有するものとしてもよい。
このような照明装置付ヘルメットでは、照明装置が発光ダイオードを備えたものであるので、電球や蛍光灯を使用した場合と比較して、発熱が少なく、小型で軽量であり、光の指向性に優れたものとなる。したがって、照明装置からの光によるまぶしさや、照明装置からの発熱による不快感が生じにくく、照明装置の重量による負担を低減することができ、使用者が快適に作業できる。さらに、電球や蛍光灯を使用した場合と比較して、消費電力が少なくて済む。
【００１２】
また、発光ダイオードが前記鍔部の厚さ方向と直交する方向に複数並べられたものであるので、使用する発光ダイオードの数を調節することにより、暗所作業用の照明として十分な光量が得られるものとなり、視野を妨げることない程度に十分に厚みの薄い照明装置とすることができる。
【００１３】
また、上記の照明装置付ヘルメットにおいては、前記鍔部の下面における前記発光部よりも後方の位置に、前記照明装置からの光を遮る遮光部が備えられているものとしてもよい。
このような照明装置付ヘルメットとすることで、前記照明装置から使用者の目に向かう光量を減少させることができ、使用場所や作業内容に応じて照明装置からの光量を増大させた場合でも、使用者がまぶしさを感じることなく快適に作業できるものとなる。
また、遮光部が帽体の鍔部の下面に取り付けられたものであるので、作業時に遮光部が周囲にぶつかることはなく、遮光部が狭い場所での作業に支障をきたすことはないし、作業時に遮光部が周囲にぶつかることによって、遮光部が破損することもない。
【００１４】
また、上記の照明装置付ヘルメットにおいては、前記帽体内に環状に取り付けられたヘッドバンドを備え、配線と、前記配線によって前記照明装置と電気的に接続されたバッテリーとが、前記帽体と前記ヘッドバンドとの間に配置されているものとしてもよい。
このような照明装置付ヘルメットとすることで、配線とバッテリーとが、照明装置付ヘルメットの外寸に影響を与えないものとなり、作業時に配線やバッテリーが周囲にぶつかったり引っかかったりすることはなく、配線やバッテリーを備えることが狭い場所での作業に支障をきたすことはない。
【発明を実施するための最良の形態】
【００１５】
以下、図面を参照して本発明を詳細に説明する。
図1〜図４は、本発明の照明装置付ヘルメットの一例を説明するための図であり、図１は、本発明の照明装置付ヘルメットを着用した状態を示した側面図である。また、図２は、本発明の照明装置付ヘルメットを前方から見た図であり、図３は、後方から見た図であり、図４は、下方から見た図である。
【００１６】
図１〜図４に示す照明装置付ヘルメットは、帽体１と照明装置４とを備えている。
照明装置は、図１に示すように、前方を照射するものであり、帽体１の鍔部２の下面３中央に着脱可能に取り付けられている。照明装置４の厚みは、特に限定されないが、５ｍｍ〜２０ｍｍ程度とするのが望ましい。照明装置４の厚みが５ｍｍ未満であると、光量の大きい発光体の使用が困難となり、十分な光量が得られない恐れが生じる。また、照明装置４の厚みが２０ｍｍを越えると、照明装置４が視野の妨げとなり、作業性を低下させてしまう恐れが生じる。
また、照明装置４の照度は、使用者の好みや作業内容等に応じて適宜決定することができ、特に限定されないが、照明装置４の１ｍ離れた照度を１００〜５０００Ｌｘとするのが望ましい。
【００１７】
また、図２および図４に示すように、照明装置４は、前方を照射するように、５個の発光ダイオード５が鍔部２の厚さ方向と直交する方向に並べられた発光部を備えている。発光ダイオード５としては、例えば、直径が３ｍｍ〜５ｍｍ程度と小さく、白色で、輝度が１５００ｍｃｄ〜６４００ｍｃｄ程度と高く、指向角が２０°〜６０°程度と小さいものなどが好ましく使用できるが、使用者の好みや作業内容等に応じて適宜決定することができ、特に限定されない。また、発光ダイオード５の数は、必要とされる光量や使用される発光ダイオード５の種類などに応じて適宜決定され、特に限定されないが、照明装置４の厚みを薄くするため、鍔部２の厚さ方向と直交する方向に１列に並べることが可能な数であることが望ましい。さらに、発光ダイオード５は、照明装置４の厚みを薄くするため、図２および図４に示すように、鍔部２の厚さ方向と直交する方向に１列に並べることが望ましいが、２列以上としてもよい。
【００１８】
また、図１〜図４に示す照明装置付ヘルメットでは、鍔部２の下面３における照明装置４よりも後方の位置に、照明装置４からの光を遮る遮光部６が備えられている。
遮光部６は、照明装置４からの光を遮ることができればよく、特に限定されないが、アルミなどの反射率の高い材料や、樹脂などの半透明材料で形成されたものなどを挙げることができる。
【００１９】
遮光部６を反射率の高い材料で形成した場合、照明装置４から後方に向かう光を反射させて暗所作業用の照明として使用することができ、好ましい。
また、遮光部６を半透明材料で形成した場合、視野を妨げることがなく、好ましい。このため、遮光部６を半透明材料で形成した場合には、遮光部６の下方向の長さを鍔部２の下面３から眼下の位置までの長さとし、遮光部６を、照明装置４からの光を遮るだけでなく、作業時の風や埃などから眼を保護する保護マスクとしての機能も備えるものとしてもよい。
【００２０】
遮光部６の幅は、特に限定されないが、照明装置４からの光を効果的に遮るため、照明装置４の発光部の幅である５個の発光ダイオード５の幅よりも広いことが望ましい。
また、遮光部６を着脱可能なものとし、使用者が照明装置４からの光をまぶしく感じる場合のみ取り付けて使用するものとしてもよい。この場合、遮光部６が視野の妨げとなることはない。
【００２１】
また、図１〜図４に示す照明装置付ヘルメットは、帽体１が脱げるのを防ぐ顎紐１０と、帽体１を頭部に保持するとともに頭部への衝撃を緩和するヘッドバンド７およびハンモック１２とを備えている。図４に示すように、ヘッドバンド７およびハンモック１２は、取付部材１４によって帽体１に取り付けられている。
【００２２】
ヘッドバンド７は、図４に示すように、帽体１内に環状に取り付けられた帯状のものであり、両端部が重なり合う後方の部分にバックル７２と爪７３とが設置され、頭囲に合わせて長さ調整ができるようになっている。また、ヘッドバンド７には、ヘッドバンド７から外側に向かって凸出する隙間調整部材７１が備えられ、帽体１とヘッドバンド７との間に、頭部への衝撃を吸収する空間が形成されるようになっている。
ハンモック１２は、長さ調整可能な４本のベルトを有するものであり、ベルトの長さを調整することにより、帽体１の深さを頭部の形状に合うように調整できるようになっている。また、帽体１とハンモック１２との間には、衝撃を緩和する空間が形成されるようになっており、衝撃吸収体１３が設置されている。
【００２３】
また、図１〜図４に示す照明装置付ヘルメットでは、配線８、８と、配線８、８によって照明装置４と電気的に接続されたバッテリー９と、照明装置４の外部に設置され、バッテリー９から照明装置４に供給される電流をオン、オフするスイッチ４１とが備えられている。
【００２４】
バッテリー９は、バックル７２に取り付けられ、図４に示すように、帽体１とヘッドバンド７との間に配置されている。バッテリー９としては、特に限定されないが、バックル７２に取り付けられたケース内にリチウム電池が収納されたものとすることができる。
また、配線８、８は、図４に示すように、帽体１とヘッドバンド７との間の隙間と、ハンモック１２と衝撃吸収体１３との間の隙間とに配置されている。また、配線８、８は、ハンモック１２やヘッドバンド７を取り外すことなく容易に設置や取り外しができるように、ハンモック１２と衝撃吸収体１３との間の隙間において、照明装置４に接続された配線とバッテリー９に接続された配線とがコネクタ８１、８１で着脱可能に接続されている。
【００２５】
このような照明装置付ヘルメットは、帽体１の鍔部２の下面３に取り付けられ、前方を照射する照明装置４を備えたものであるので、暗所で作業を行う際に照明器具を手で持つことなく、両手を自由に使用して作業を行うことができる。しかも、照明装置４が帽体１の鍔部２の下面３に取り付けられたものであるので、作業時に照明装置４が周囲にぶつかることはなく、狭い場所での作業に支障をきたすことはないし、作業時に照明装置４が周囲にぶつかることによって、照明装置４が破損することもない。
また、照明装置４が前方を照射するものであるので、照明装置４からの光が暗所作業用の照明として効率よく利用される。
【００２６】
また、このような照明装置付ヘルメットでは、照明装置４が着脱可能に取り付けられているので、照明装置４が不要な場合には取り外すことができる。また、あらかじめ種類の異なる複数の照明装置を準備しておくことにより、用途などに応じて使用者が適切な照明装置を選択し、鍔部２の下面３に取り付けて使用するものとすることができる。さらに、１つの照明装置を複数の使用者で共用することが可能となる。また、照明装置４と帽体１のいずれか一方のみが寿命などにより使用できない状態となった場合に、使用できない状態であるいずれか一方のみを交換するだけでよいものとなる。
【００２７】
また、このような照明装置付ヘルメットは、スイッチ４１が、帽体１の鍔部２の下面３に取り付けられた照明装置４の外部に設置されているので、照明装置付ヘルメットを装着した状態で照明装置４のオン、オフを容易に行うことができる。
【００２８】
さらに、このような照明装置付ヘルメットでは、バッテリー９が、バックル７２に取り付けられている。バックル７２が取り付けられている位置は、ヘッドバンド７の両端部が重なり合う部分であるので、バッテリー９の荷重によるヘッドバンド７への負荷が少なく、バッテリー９を取り付けることによるヘッドバンド７形状の歪みなどを防止することができ、好ましいものとなる。
【００２９】
なお、上述した例に示したように、本発明においては、小型で長時間の連続使用が可能なものとするために、バッテリー９としてリチウム電池を使用し、発光ダイオード５を備えた発光部を備えたものとすることができるが、上述した例に限定されるものではない。
例えば、バッテリー９は、充電可能な電池等を利用したものであってもよいし、発光部は、電球や蛍光灯を使用したものであってもよい。
【００３０】
また、上述した例に示したように、配線８、８は、帽体１とヘッドバンド７との間の隙間と、ハンモック１２と衝撃吸収体１３との間の隙間に配置されていてもよいが、帽体１とヘッドバンド７との間の隙間と、帽体１と衝撃吸収体１３との間の隙間に配置されていてもよい。
【図面の簡単な説明】
【００３１】
【図１】本発明の照明装置付ヘルメットを着用した状態を示した側面図である。
【図２】本発明の照明装置付ヘルメットを前方から見た図である。
【図３】本発明の照明装置付ヘルメットを後方から見た図である。
【図４】本発明の照明装置付ヘルメットを下方から見た図である。
【符号の説明】
【００３２】
１  帽体
２  鍔部
３  下面
４  照明装置
５  発光ダイオード
６  遮光部
７  ヘッドバンド
８  配線
９  バッテリー
１０  顎紐
１２  ハンモック
１３  衝撃吸収体
１４  取付部材
４１  スイッチ
７１  隙間調整部材
７２  バックル
７３  爪
８１  コネクタ
【図１】
2005264388.tif 000003
【図２】
2005264388.tif 000004
【図３】
2005264388.tif 000005
【図４】
2005264388.tif 000006